(57)【要約】【課題】表示パネルとバックライトユニットの各部品の固定と位置合わせが簡便にでき、表示パネルやバックライトユニットの各部品のリペア性の要求にも対応できるフレームケースを提供する。【解決手段】表示装置の構成部品２１、２２を収納する凹部３が形成されたフレームケース１において、前記凹部３は、底壁２と、一対の端壁４、５と、一対の側壁６、７とに囲繞されて構成され、前記一対の端壁４、５のうち一方の端壁５には、前記底壁２との連接辺を基点として前記凹部３の内方へ付勢され、前記凹部３に収納された前記構成部品２１、２２に当接して、前記構成部品２１、２２をその配置基準となる他方の端壁５側へ押圧するように作用する板状ばね部１０（１０Ａ）が形成されている。【選択図】図１
2008040080.tif 000002
【特許請求の範囲】
【請求項１】
表示装置の構成部品を収納する凹部が形成されたフレームケースにおいて、前記凹部は、底壁と、一対の端壁と、一対の側壁とに囲繞されて構成され、前記一対の端壁のうち一方の端壁には、前記底壁との連接辺を基点として前記凹部の内方へ付勢され、前記凹部に収納された前記構成部品に当接して、前記構成部品をその配置基準となる他方の端壁側へ押圧するように作用する第１の板状ばね部が形成されていることを特徴とするフレームケース。
【請求項２】
前記一対の側壁には、それぞれ前記底壁との連接辺を基点として前記凹部の内方へ付勢され、前記凹部に収納された前記構成部品の側面に当接させて前記構成部品を対向する側壁側へ押圧するように作用する第２の板状ばね部が形成されている請求項１に記載のフレームケース。
【請求項３】
前記一対の側壁のうち一方の側壁には、前記底壁との連接辺を基点として前記凹部の内方へ付勢され、前記凹部に収納された前記構成部品の側面に当接させて前記構成部品をその配置基準となる他方の側壁側へ押圧するように作用する第３の板状ばね部が形成されている請求項１に記載のフレームケース。
【請求項４】
板状ばね部には、前記底壁に対向させるようにして形成された係止面を前記凹部に収納された前記構成部品の上面に当接させて、前記構成部品を底壁側へ押圧するように作用するフックが形成されている請求項１乃至３のいずれか１項に記載のフレームケース。
【請求項５】
前記フックの上面には、前記構成部品を前記凹部へ収納する際に前記構成部品を当接させて、前記構成部品を前記凹部に案内するように作用する傾斜面からなる案内部が形成されている請求項４に記載のフレームケース。
【発明の詳細な説明】
【技術分野】
【０００１】
本発明は、表示装置の構成部品を簡単且つ確実に収納するためのフレームケースに関する。
【背景技術】
【０００２】
一対の透明基板間に液晶を封止してなり、前記一対の透明基板の所定の部分に選択的に電界を与えて特定の図形や文字等の情報を表示する液晶表示パネルが内蔵された液晶表示装置が、各種電子機器の表示装置として多く用いられている。
【０００３】
このような液晶表示装置は、例えば当該液晶表示装置のフレームケース内に、電気回路系等を組み込んだ液晶表示パネルを、その表示領域が前記フレームケー右の上面に位置するようにして配設させるとともに、前記液晶表示パネルの反視認側にバックライトユニットを配置させた構成とされている。
【０００４】
前記フレームケースは、液晶表示装置の構成部品としての液晶表示パネルおよびバックライトユニットを収納する凹部が形成された筐体とされており、前記凹部には液晶表示パネルおよびバックライトユニットが貼着され、固定された状態で収納されている。
【０００５】
ここで、前記バックライトユニットは、入射面から内部へ入射した光を前記液晶表示パネルの表示領域に向う平面光として照射する導光板、前記導光板の裏面から漏れる光を前記導光板に反射させて戻すための反射フィルム、前記導光板から照射される光を拡散させるための拡散フィルム、輝度を上昇させるための２枚の光学フィルムおよびＬＥＤやＣＣＴ（冷陰極蛍光管）などの光源から構成されている。
【０００６】
詳しくは、前記フレームケースの凹部の底壁上面には前記反射フィルムが遮光性の両面テープによって固着されて収納されている。そして、前記反射フィルムの上面には前記導光板、前記導光板の上面には拡散フィルム、前記拡散フィルムの上面には２枚の光学フィルムがそれぞれ積層され、それぞれの部品間に介在させた枠状の遮光性の両面テープによって貼着された状態で、前記バックライトユニットを構成し、前記凹部に収納されている。また、前記バックライトユニットの上面には前記液晶表示パネルが積層され、枠状の遮光性の両面テープによって貼着された状態で、同じく、前記凹部に収納されている。
【０００７】
そして、前記光源は前記バックライトユニット外に配設される回路基板から電極端子を通じて供給される電力によって発光し、前記光源から発光される照射光は、前記導光板により面光源として機能し、前記液晶表示パネルに均一に照射光を照射するように構成されている。
【０００８】
また、前記液晶表示パネルは、互いに対向する面に透明電極が形成された一対の透明基板を、これらの透明基板の周辺部に塗布されたシール材により一体に貼り合わせ、これら各透明基板の間にギャップ材や液晶を注入密封した後、各透明基板の外側面に偏光板を貼着することにより構成されている。
【０００９】
【特許文献１】特開平１１−２３１２９０号公報
【特許文献２】特開２００２−３２８６１９号公報
【発明の開示】
【発明が解決しようとする課題】
【００１０】
このように、従来の液晶表示装置においてはバックライトユニットの各部品や液晶表示パネルは遮光性の両面テープにより１部品ずつ貼着されていたため、貼り合わせ作業が煩雑であり、しかも、一旦、両面テープで貼着してフレームケースに収納してしまうと、貼着にズレが生じた部品や、製品として欠陥がある部品等を交換することができないという、リペア性に関する問題点があった。
【００１１】
また、前記フレームケースとしては、液晶表示パネルやバックライトユニットの各部品を前記凹部における基準位置に簡便に配置することができる構成を備えていることが望まれる。
【００１２】
そこで、本発明は、液晶表示パネルの前記凹部の基準位置への固定が簡便にでき、前記液晶表示パネルやバックライトユニットの各部品のリペア性の要求にも対応できるフレームケースを提供することを目的とする。
【課題を解決するための手段】
【００１３】
前述した目的を達成するため、本発明の請求項１に記載のフレームケースの特徴は、表示装置の構成部品を収納する凹部が形成されたフレームケースにおいて、前記凹部は、底壁と、一対の端壁と、一対の側壁とに囲繞されて構成され、前記一対の端壁のうち一方の端壁には、前記底壁との連接辺を基点として前記凹部の内方へ付勢され、前記凹部に収納された前記構成部品に当接して、前記構成部品をその配置基準となる他方の端壁側へ押圧するように作用する第１の板状ばね部が形成されている点にある。
【００１４】
前記第１の板状ばね部は、前記凹部に前記構成部品を収納した際に、その付勢力により、前記凹部に収納された構成部品の端面に当接し、前記構成部品をその配置基準となる他方の端壁側へ押圧することとなる。
【００１５】
よって、本発明のフレームケースによれば、液晶表示パネル等の構成部品を前記凹部内における一対の端壁間に挟持しつつ、他方の端壁を基準とする位置合わせを簡便に行うことができる。
【００１６】
また、本発明の請求項２に記載のフレームケースの特徴は、前記一対の側壁には、それぞれ前記底壁との連接辺を基点として前記凹部の内方へ付勢され、前記凹部に収納された前記構成部品の側面に当接させて前記構成部品を対向する側壁側へ押圧するように作用する第２の板状ばね部が形成されている点にある。
【００１７】
前記第２の板状ばね部は、前記凹部に構成部品を収納した際に、その付勢力により、前記凹部に収納された構成部品の側面に当接し、前記構成部品をそれぞれ対向する側壁側へ押圧することとなる。
【００１８】
よって、本発明のフレームケースによれば、液晶表示パネル等の構成部品を前記凹部における一対の側壁間に挟持しつつ、前記側壁間の中間位置を基準とする位置合わせを簡便に行うことができる。
【００１９】
また、本発明の請求項３に記載のフレームケースの特徴は、前記一対の側壁のうち一方の側壁には、前記底壁との連接辺を基点として前記凹部の内方へ付勢され、前記凹部に収納された前記構成部品の側面に当接させて前記構成部品をその配置基準となる他方の側壁側へ押圧するように作用する第３の板状ばね部が形成されている点にある。
【００２０】
前記第３の板状ばね部は、前記凹部に前記構成部品を収納した際に、その付勢力により、前記凹部に収納された構成部品の側面に当接し、前記構成部品をその配置基準となる他方の側壁側へ押圧することとなる。
【００２１】
よって、本発明のフレームケースによれば、構成部品を前記凹部における一対の側壁間に挟持しつつ、他方の側壁を基準とする位置合わせを簡便に行うことができる。
【００２２】
そして、本発明の請求項４に記載のフレームケースの特徴は、板状ばね部には、前記凹部に収納された前記構成部品の上面に当接して前記構成部品を底壁側へ押圧するように作用するフックが形成されている点にある。
【００２３】
前記板状ばね部に形成されたフックは、前記凹部内の最上層に積層されて収納された前記構成部品の上面に当接することで、前記構成部品を前記凹部内に係止し、さらには底壁側へ押圧するように作用する。よって、たとえ、前記構成部品が複数枚であり、それらの構成部品が両面テープを用いずに単に積層させた状態であっても、前記構成部品を前記凹部内において前記底壁との間に挟んだ状態で保持することができる。
【００２４】
さらに、本発明の第５に記載のフレームケースの特徴は、前記フックの上面には、前記構成部品を凹部へ収納する際に前記構成部品を当接させることで、凹部内に案内するように作用する傾斜面からなる案内部が形成されている点にある。
【００２５】
前記板状ばね部のフックに形成された傾斜案内面は、前記構成部品を前記凹部へ収納する際に、その構成部品の下面周辺部を当接させつつ凹部の内方へスライドさせながら押圧することで、前記構成部品を前記凹部内に案内するように作用する。よって、前記構成部品を前記凹部に簡便に収納することができる。
【００２６】
このように、本発明のフレームケースによれば、前記凹部から液晶表示パネル等の構成部品を簡単に取り出すことができ、前記構成部品のリペアの要求に対応することが可能となる。
【発明の効果】
【００２７】
このように、本発明のフレームケースによれば、液晶表示パネルや有機ＥＬパネル等の液晶表示装置を構成する構成部品の前記凹部内における基準位置への収納や、これらの構成部品の交換などの作業が簡便になる。また、凹部へ収納する前記構成部品が複数からなる場合であっても、これらの構成部品の固定手段として両面テープを用いることもないので、リペア性も良くなる。さらに、前記板状ばね部は、表示パネル等の液晶表示装置の構成部品が、その外形寸法を多少増減して作製されたような場合であっても、そのばね弾性により前記構成部品の寸法誤差を吸収し、フレームケース（モジュール）の外形寸法には影響させない等の効果を奏する。
【発明を実施するための最良の形態】
【００２８】
以下に説明する本発明のフレームケースは、例えば、液晶表示パネルおよびバックライトユニットを備えた液晶表示装置において、前記液晶表示装置を構成する前記液晶表示パネルやバックライトユニットの各部品を接着部材を用いずに単に積層した状態で、基準位置に位置合わせすることのできる構成を備えたフレームケースである。
【００２９】
本発明の第１実施形態のフレームケース１は、一端壁側中央部、すなわち、第１端壁の仮想中央ライン位置を位置合わせの基準位置とするフレームケース１である。
【００３０】
前記フレームケース１は、図１および図２に示すように、前記液晶表示パネル２１とほぼ同じ大きさの平面形状とされ、底壁２の中央部に開口部２ａを有する略四角枠状とされており、その上面には、前記液晶表示パネル２１およびバックライトユニット２２の導光板等の各部品を収納する凹部３が形成されている。なお、前記バックライトユニット２２の光源（図示せず）は前記凹部３外で前記底壁２の下方に配設する構成とされていてもよい。
【００３１】
更に詳しくは、図１（ａ）に示すように、前記凹部３は、底壁２、前記底壁２における周縁部の一端辺に立設された第１端壁４、前記第１端壁４と対向させるようにして周縁部の他端辺に立設された第２端壁５、前記底壁２における周縁部の一側辺に立設された第１側壁６、および前記第１側壁６と対向させるようにして周縁部の他側辺に立設された第２側壁７とにより囲繞された空間部とされている。本実施形態において、前記凹部３を構成する一対の端壁のうちの第１端壁４の内壁部は、該フレームケース１の長手方向における配置基準位置とされており、前記第１端壁４の中央は、同じく幅方向における配置基準位置とされている。
【００３２】
そして、前記第１端壁４に対向して配置された第２端壁５には、図１（ｂ）および図２に示すように、その延在方向中央部に、その上端辺をコ字状に切欠くことにより、液晶表示パネル２１のＩＣチップ２４を搭載する端子接続部に配設された外部接続配線基板２３をフレームケース１の外方へ導出させる導出部８が形成されている。そして、その導出部８の両側方であって、前記第２端壁５の仮想中央ラインを基準として左右対称位置にはそれぞれ、該第２端壁５の高さ方向に垂直に形成された２本の切り込み線９、９により、第１の板状ばね部である板状ばね部１０（端壁ばね部１０Ａ）が形成されている。すなわち、本実施形態においては、２本の切り込み線９、９により他の第２端壁５の領域と分断された領域が板状ばね部１０として形成されている。本実施形態のように、端壁ばね部１０Ａを前記第２端壁５の仮想中央ラインを基準として左右対称に形成することにより、凹部３に収納される液晶表示パネル２１等に対する押圧力が該液晶表示パネル２１等の両側方に対し均等に作用するため、凹部３において液晶表示パネル２１等が傾斜することなく、凹部３の適正な位置に配置される。
【００３３】
また、前記第１端壁４および第２端壁５に直交させて形成されている第１側壁６および第２側壁７の略中央部にはそれぞれ、図１（ｃ）および図２に示すように、該第１側壁６および第２側壁７の高さ方向に垂直に形成された２本の切り込み線９、９により、第２の板状ばね部である板状ばね部１０（側壁ばね部１０Ｂ）が対向するようにして形成されている。すなわち、２本の切り込み線９、９により第１側壁６、第２側壁７と分断された領域が板状ばね部１０として形成されている。本実施形態のように、側壁ばね部１０Ｂを対向させて形成することにより、凹部３に収納される液晶表示パネル２１等に対する押圧力が該液晶表示パネル２１等の両側方から均等に作用するため、凹部３において液晶表示パネル２１等が傾斜することなく、凹部３の適正な位置に配置される。
【００３４】
ここで、本実施形態の前記板状ばね部１０は、前記凹部３に液晶表示パネル２１等を収納しない状態等、常時は、図３に破線で示すように、前記底壁２との連接辺を基点として、先端部を該板状ばね部１０のばね弾性を以て凹部３の内方へ付勢されて形成されている。
【００３５】
よって、前記凹部３に液晶表示パネル２１等を収納するとき、あるいは凹部３から液晶表示パネル２１等を外すときには、図３に一点鎖線で示すように、そのばね弾性を利用し、前記付勢力に抗して凹部３外方へ撓ませ、前記液晶表示パネル２１等を収納可能な前記凹部３の空間部を確保する。そして、前記凹部３に液晶表示パネル２１等を収納した状態においては、図３に実線で示すように、前記板状ばね部１０は、弾性復元力によって前記底壁２から垂直に起立した状態で凹部３に収納される液晶表示パネル２１等の端面あるいは側面に当接し、前記液晶表示パネル２１等を対向壁へ押圧するテンションを付与するように作用する。
【００３６】
また、前記板状ばね部１０の先端部における内壁上部には、前記凹部３の上方へ延出する小片状のフック１１が形成されている。前記フック１１は、前記底壁２に対向させるようにして係止面１２が形成されている。この係止面１２は、前記凹部３に液晶表示パネル２１およびバックライトユニット２２の各部品が積層して収納された状態において、前記凹部３に収納された最上面に位置する前記液晶表示パネル２１の上面に当接して、それらを前記凹部３内に係止するように作用する。さらに好ましくは、底壁２側へ押圧するように作用して、これらの各部品を前記底壁２との間に挟んで固定するように形成されている。なお、本実施形態において、前記端壁ばね部１０Ａと側壁ばね部１０Ｂとでは、前記係止面１２が当接する凹部３に収納される液晶表示パネル２１の当接面が異なる。すなわち、図２に示すように、前記端壁ばね部１０Ａの係止面１２が、前記液晶表示パネル２１の前記外部接即配線基板１４が接続される端子接続部が形成された背面側透明基板２１Ｂの表面に当接するのに対し、前記側壁ばね部１０Ｂの係止面１２は、前記液晶表示パネル２１の表面側透明基板２１Ａの表面に当接する。よって、端壁ばね部１０Ａと側壁ばね部１０Ｂとでは、前記係止面１２の前記底壁からの高さ寸法を異ならせて前記フック１１が形成されている。
【００３７】
さらに、本実施形態において、前記フック１１の上面には、フレームケース１の外方から内方へ向かって下り傾斜とされた傾斜面からなる案内面１３が形成されている。
【００３８】
前記案内面１３は、前記液晶表示パネル２１およびバックライトユニット２２の各部品を前記凹部３へ収納する際に、前記凹部３に収納された最下面に位置するバックライトユニット２２の構成部品の下面周辺部を当接させつつ凹部３の内方向へスライドさせながら押圧することで、各板状ばね部１０の上端部を凹部３外方へ撓ませつつ、前記液晶表示パネル２１およびバックライトユニット２２等の構成部品を前記凹部３内に案内するように作用する。
【００３９】
さらに、第１端壁４と、前記第１端壁４に直交する両側壁６、７により形成される両コーナー部には、前記凹部３の上方へ延出する小片状の係止部１５、１５が形成されている。このように前記係止部１５が形成されたフレームケース１においては、前記第１端壁４、第１端壁４に直交する両側壁６、７、前記係止部１５および凹部３の底壁２により囲繞されてポケット状とされた部分に、前記凹部３に積層して収納される前記液晶表示パネル２１およびバックライトユニット２２の各部品のコーナー部を嵌合させることで、前記液晶表示パネル２１およびバックライトユニット２２の各部品を前記凹部３の所定位置に位置合わせすることが可能となる。また、前記係止部１５も、前記フック１１と同様に、前記凹部３に液晶表示パネル２１およびバックライトユニット２２の各部品が積層して収納された状態において、前記凹部３に収納された最上面に位置する前記液晶表示パネル２１の上面に当接し、前記凹部３に積層して収納された前記液晶表示パネル２１およびバックライトユニット２２の構成部品を前記凹部３内に係止するように作用する。さらに好ましくは、底壁２側へ押圧するように作用して、これらの各部品を前記底壁２との間に挟んで固定するように形成されている。
【００４０】
なお、前記フレームケース１は、例えば、ポリカーボネート、ＡＢＳ樹脂などの樹脂素材を射出成型することなどにより、底壁２、一対の端壁４、５、一対の側壁６、７、係止部１５、フック１１が形成された板状ばね部１０等の各部位が一体に形成されているものとする。
【００４１】
次に、このように構成されたフレームケース１の作用と効果を説明する。
【００４２】
本実施形態のフレームケース１の前記凹部３に前記液晶表示パネル２１および前記バックライトユニット２２の各部品を収納する際には、前記液晶表示パネル２１およびバックライトユニット２２の各部品を重ね合わせ、前記外部接続配線基板１４を第２端壁９側へ導出させるようにしてセットする。
【００４３】
この状態で、図４（ａ）に示すように、前記液晶表示パネル２１およびバックライトユニット２２の各部品の図中右端側を、前記液晶表示パネル２１およびバックライトユニット２２の構成部品の側面を前記一対の側壁６、７の内壁に沿わせた状態で、前記凹部３内の前記第１端壁４の近傍へ位置させる。
【００４４】
そして、図４（ｂ）に示すように、前記液晶表示パネル２１およびバックライトユニット２２の各部品のコーナー部を、前記第１端壁４、第１端壁４に直交する両側壁６、７、前記係止部１５および凹部３の底壁２により囲繞されてポケット状とされた部分に嵌合させるようにスライドさせながら、前記液晶表示パネル２１および前記バックライトユニット２２の各部品を前記凹部３に嵌合させるべく、左端側を底壁２方向へ押し込むようにする。
【００４５】
このとき、前記凹部３に収納された最下面に位置するバックライトユニット２２の下面周辺部を、前記凹部３内へ臨む前記各板状ばね部１０のフック１１に形成された案内面１３に当接させ、前記液晶表示パネル２１および前記バックライトユニット２２を前記案内面１３の傾斜に従って凹部３の内方へ押圧するようにする。それとともに、前記板状ばね部１０の上端部を外方へ撓ませ、前記液晶表示パネル２１およびバックライトユニット２２の各部品を前記凹部３内に収納するスペースを確保し、前記液晶表示パネル２１および前記バックライトユニット２２を収納する。
【００４６】
そして、前記凹部３に前記液晶表示パネル２１および前記バックライトユニット２２の各部品が収納されると、前記板状ばね部１０は弾性復元力によって再び前記フレームケース１の凹部３の内方へ戻るように作用する。すなわち、本実施形態において、前記第２端壁５に形成された端壁ばね部１０Ａは、図２の黒矢印Ａに示すように、前記凹部３に収納された液晶表示パネル２１およびバックライトユニット２２の各部品の端面に当接し、それらを前記第１端壁４側へ押圧するように作用する。また、前記第１側壁６に形成された側壁ばね部１０Ｂは、図２の黒矢印Ｂに示すように、前記凹部３に収納された液晶表示パネル２１およびバックライトユニット２２の各部品の側壁に当接し、それらを前記第２側壁７側へ押圧するように作用し、前記第２側壁７に形成された側壁ばね部１０Ｂは、前記凹部３に収納された液晶表示パネル２１およびバックライトユニット２２の各部品の側壁に当接し、これらの部品を前記第１側壁６側へ押圧するように作用する。
【００４７】
これにより、前記液晶表示パネル２１およびバックライトユニット２２の長手方向先端部を前記第１端壁４の内壁に沿わせつつ、幅方向を該フレームケースの幅方向中央（仮想中央ラインの位置）を基準として位置合わせすることができる。
【００４８】
また、本実施形態においては、前記各板状ばね部１０に形成されたフック１１や、第１端壁４側のコーナー部に形成された係止部１５は、前記凹部３内の最上層に積層されて収納された前記液晶表示パネル２１の上面に当接することで、前記液晶表示パネル２１およびバックライトユニット２２の各部品を凹部３内に係止し、さらには底壁２側へ押圧するように作用する。よって、前記液晶表示パネル２１およびバックライトユニット２２の各部品を前記凹部３内において前記底壁２との間に挟んだ状態で保持することができる。
【００４９】
このように、本実施形態のフレームケース１によれば、前記液晶表示パネル２１やバックライトユニット２２の各部品を両面テープを用いずに単に積層させた状態であっても、前記凹部３に簡単に収納することができ、しかも、前記液晶表示パネル２１やバックライトユニット２２の各部品を前記凹部３において簡単に適正な位置に位置合わせすることができる。
【００５０】
なお、前記凹部３から前記液晶表示パネル２１やバックライトユニット２２の各部品を取り出す際には、前記板状ばね部１０をそのばね弾性を利用して再び当該フレームケース１の凹部３外方へ撓ませ、凹部３の内方への付勢力を解除した状態で取り出すようにする。
【００５１】
このように、本発明のフレームケースによれば、前記凹部３から前記液晶表示パネル２１やバックライトユニット２２の各部品を簡単に取り出すことができ、前記液晶表示パネル２１やバックライトユニット２２の構成部品のリペア性の要求に対応することが可能となる。
【００５２】
また、前記板状ばね部は、液晶表示パネル等の液晶表示装置の構成部品が、その外形寸法を多少増減して作製されたような場合であっても、そのばね弾性により前記構成部品の寸法誤差を吸収し、フレームケース（モジュール）の外形寸法には影響させない等の効果を奏する。
【００５３】
また、図５は、本発明のフレームケースの第２実施形態を示す。
【００５４】
本実施形態のフレームケースは、前記第１実施形態のフレームケース１が、一端壁側中央部（第１端壁側中央部）を位置合わせの基準位置とするフレームケース１であったのに対し、一端壁側一端部、具体的には、第１端壁４と第２側壁７とにより形成されるコーナー部を位置合わせの基準位置とするフレームケース１である。
【００５５】
よって、その構成も以下の点で相違する。すなわち、本実施形態のフレームケース１においては、前記一対の第１側壁６と第２側壁７のうち一方の第１側壁６にのみ、その付勢力により、前記凹部に収納された前記構成部品の側面に当接して前記構成部品をその配置基準となる他方の側壁側へ押圧するように作用する第３の板状ばね部である板状ばね部１０（側壁ばね部１０Ｂ）が形成されている。
【００５６】
前記板状ばね部１０は、前記凹部３に前記液晶表示パネル２１等を収納した際に、前記液晶表示パネル２１等をその配置基準となる他方の第２側壁７側へ押圧することとなる。
【００５７】
よって、本発明のフレームケース１によれば、前記第２端壁５に形成された端壁ばね部１０Ａにより、液晶表示パネル２１等を第１端壁４側に押圧し、第１側壁６に形成された側壁ばね部１０Ｂによって、液晶表示パネル２１等を第２側壁７側に押圧することで、前記凹部３に収納される液晶表示パネル２１等を前記第１端壁４と第２側壁７とにより形成されるコーナー部を基準とする位置合わせを簡便に行うことができる。
【００５８】
その際の前記板状ばね部材１０、前記フック１１の係止面１２、案内面１３の作用については前述の第１実施形態と同様であるので、説明を省略する。
【００５９】
なお、本実施形態において、前記側壁ばね部は１箇所にのみ形成しているが、その形成箇所は１箇所に限らない。
【００６０】
さらに、本発明は、本実施形態に限定されるものではなく、必要に応じて種々の変更が可能である。例えば、本発明のフレームケースの凹部内に収納する表示装置の構成部品は、必ずしも、前記液晶表示パネルとバックライトユニットの各部品とに限るものではない。また、反射型の液晶表示パネルに用いるような場合には、前記フレームケースは、底壁に開口部が形成されていない筐体のフレームケースであってもよい。
【図面の簡単な説明】
【００６１】
【図１】（ａ）は本発明の第１実施形態のフレームケースの構造を示す平面図、（ｂ）は（ａ）のフレームケースの第２端壁方向視野正面図、（ｃ）は（ａ）のフレームケースの第１側壁方向視野側面図
【図２】第１実施形態のフレームケースに液晶表示パネル等を収納した状態における板状ばね部の位置合わせに関する作用を説明するための平面図
【図３】本実施形態のフレームケースにおけるフックの構成および作用の説明図（図１におけるＡ−Ａ断面図）
【図４】（ａ）は第１実施形態のフレームケースの凹部に液晶表示パネルおよびバックライトユニットを収納する際の最初の手順を示す説明図、（ｂ）は次の手順と前記フレームケースの構成から生じる作用を示す説明図、（ｃ）は凹部に液晶表示パネルおよびバックライトユニットを収納した状態を示す説明図
【図５】本発明の第２実施形態のフレームケースの構造を示す平面図
【符号の説明】
【００６２】
１    フレームケース
２  底壁
２ａ  開口部
３  凹部
４  第１端壁
５  第２端壁
６  第１側壁
７  第２側壁
８  導出部
９  切り込み線
１０  板状ばね部
１０Ａ  端壁ばね部
１０Ｂ  側壁ばね部材
１１  フック
１２  係止面
１３  案内面
１５  係止部
２１  液晶表示パネル
２１Ａ  表面側透明基板
２１Ｂ  背面側透明基板
２２  バックライトユニット
２３  外部接続配線基板
２４  ＩＣチップ
【図１】
2008040080.tif 000003
【図２】
2008040080.tif 000004
【図３】
2008040080.tif 000005
【図４】
2008040080.tif 000006
【図５】
2008040080.tif 000007